(57)【要約】【課題】長期にわたって用便者の興味を引き、尿により小便器本体の周りの床や用便者の着衣が汚れることを少なくすることができる小便器用放尿目標体を提供する。【解決手段】小便器用放尿目標体２０は、小便器本体１０の鉢面１１に取付けられ、用便者１が放尿の目標にするものである。この小便器用放尿目標体２０は、上下方向に延び、鉢面１１より前方に突出して内部に空洞部２１Ｓを形成する隔壁２１を備えている。隔壁２１は、下端近傍に設けられ、放尿の目標にされる第１開口２２と、上端近傍に設けられた第２開口２３とを有している。第１開口２２から空洞部２１Ｓ内に侵入し、貯留された尿の表面が隔壁２１を透して外部から確認できるように隔壁２１は透明又は半透明である。【選択図】図１
2009074300.tif 000002
【特許請求の範囲】
【請求項１】
小便器本体の鉢面に取付けられ、用便者が放尿の目標にする小便器用放尿目標体であって、
上下方向に延び、前記鉢面より前方に突出して内部に空洞部を形成する隔壁を備え、
該隔壁は、下端近傍に設けられ、放尿の目標にされる第１開口と、上端近傍に設けられた第２開口とを有し、
該第１開口から該空洞部内に侵入し、貯留された尿の表面が該隔壁を透して外部から確認できるように該隔壁は透明又は半透明であることを特徴とする小便器用放尿目標体。
【請求項２】
前記隔壁は、下端近傍の前面部が下方に向かうにしたがって前記鉢面側に接近するように傾斜している請求項１記載の小便器用放尿目標体。
【請求項３】
前記第１開口は、横方向に長いスリット形状である請求項１又は２記載の小便器用放尿目標体。
【請求項４】
前記第１開口は、前記隔壁の最下端に形成されている請求項１乃至３のいずれか１項記載の小便器用放尿目標体。
【請求項５】
前記第２開口は、前記小便器本体の鉢面を洗浄する洗浄水が流入するよう上向きに開口している請求項１乃至４のいずれか１項記載の小便器用放尿目標体。
【発明の詳細な説明】
【技術分野】
【０００１】
本発明は小便器用放尿目標体に関する。
【背景技術】
【０００２】
特許文献１の図４に従来の小便器用放尿目標体が開示されている。この小便器用放尿目標体は、小便器本体の鉢面に取り付けられ、用便者が放尿の目標にするものである。この小便器用放尿目標体は、鉢面より前方に突出し、内部に透明部材を配した表面壁と、表面壁から連続して透明部材の背部を覆い、鉢面に貼着される背面壁とを備えている。表面壁は温められると有色から無色に変色する。背面壁の前面には絵柄や文字が印刷されている。
【０００３】
この小便器用放尿目標体は、表面壁に尿が当たると、表面壁が有色から無色に変色し、透明部材を透して背面壁の前面に印刷された絵柄や文字が現われる。このため、用便者は、この小便器用放尿目標体の変化に興味を持ち、この小便器用放尿目標体に向けて放尿する。よって、小便器本体の鉢面のうち尿が小便器本体の外部に飛散し難い位置に、この小便器用放尿目標体を取り付けることにより、尿が小便器本体の外部に飛散し難くなり、小便器本体の周りの床や用便者の着衣が汚れることを少なくすることができる。
【０００４】
【特許文献１】特開２００２−３２２７２４号公報
【発明の開示】
【発明が解決しようとする課題】
【０００５】
しかし、上記従来の小便器用放尿目標体では、用便者が放尿して小便器用放尿目標体に絵柄や文字が現われると、用便者は、それを確認するために小便器用放尿目標体から逸らして放尿してしまう。この際、小便器本体の外部等に尿が飛散してしまうおそれがある。また、毎回、同じ絵柄や文字が現われるため、次第に用便者の興味が薄れ、用便者は小便器用放尿目標体に向けて放尿しなくなるおそれがある。
【０００６】
本発明は、上記従来の実情に鑑みてなされたものであって、長期にわたって用便者の興味を引き、尿により小便器本体の周りの床や用便者の着衣が汚れることを少なくすることができる小便器用放尿目標体を提供することを解決すべき課題としている。
【課題を解決するための手段】
【０００７】
本発明の小便器用放尿目標体は、小便器本体の鉢面に取付けられ、用便者が放尿の目標にする小便器用放尿目標体であって、
上下方向に延び、前記鉢面より前方に突出して内部に空洞部を形成する隔壁を備え、
該隔壁は、下端近傍に設けられ、放尿の目標にされる第１開口と、上端近傍に設けられた第２開口とを有し、
該第１開口から該空洞部内に侵入し、貯留された尿の表面が該隔壁を透して外部から確認できるように該隔壁は透明又は半透明であることを特徴とする。
【０００８】
この小便器用放尿目標体では、放尿された尿がその勢いや毛管現象の作用等により第１開口から空洞部内に侵入し、空洞部内に一時的に貯留される。用便者が第１開口に向けて放尿する時間の長短や、尿の勢いの強弱により、空洞部内に貯留される尿の量が変化するとともに、その過程において空洞部内の尿の表面が上下動する。空洞部内の尿の表面が上下動する様子は、第１開口よりも上方の隔壁を透して用便者は確認することができる。つまり、放尿の目標とされる第１開口と、放尿により変化し、用便者の興味を引く部分とが離れて設けられている。このため、用便者は、第１開口に向けて逸らすことなく放尿をしながらでも、空洞部内の尿の表面の上下動を確認することができる。また、用便者は、空洞部内の尿の表面がより高く上昇するように第１開口を狙って放尿するようになる。さらに、用便者が放尿をするごとに、空洞部内の尿の表面が上下動する様子は異なるため、用便者は、毎回、この小便器用放尿目標体の第１開口を狙って放尿するようになる。
【０００９】
したがって、本発明の小便器用放尿目標体は、長期にわたって用便者の興味を引き、尿により小便器本体の周りの床や用便者の着衣が汚れることを少なくすることができる。
【００１０】
本発明の小便器用放尿目標体において、空洞部内に尿に浮く球体を内蔵し得る。この場合、空洞部内の尿の表面が上下動する様子を用便者が確認しやすくなる。
【００１１】
本発明の小便器用放尿目標体において、隔壁は、下端近傍の前面部が下方に向かうにしたがって鉢面側に接近するように傾斜していることが好ましい。この場合、第１開口から直接、尿が空洞部内に侵入しやすくなるため、空洞部内の尿の表面の上下動が大きくなり、用便者がその変化を確認しやすくなる。
【００１２】
本発明の小便器用放尿目標体において、第１開口は、横方向に長いスリット形状であることが好ましい。この場合、第１開口からより多くの尿が空洞部内に侵入することができるため、空洞部内の尿の表面の上下動が大きくなり、用便者がその変化をより確認しやすくなる。
【００１３】
本発明の小便器用放尿目標体において、第１開口は、隔壁の最下端に形成されていることが好ましい。この場合、第１開口より下方に隔壁が存在しないため、第１開口の下方の鉢面に衝突し、上方向に飛散した尿が第１開口から空洞部内に侵入しやすくなる。このため、空洞部内の尿の表面の上下動が大きくなり、用便者がその変化を確認しやすくなる。また、尿の跳ね返りを抑えることができる。さらに、空洞部内に尿や洗浄水が滞留しないため、空洞部内を清潔に保つことができる。
【００１４】
本発明の小便器用放尿目標体において、第２開口は、小便器本体の鉢面を洗浄する洗浄水が流入するよう上向きに開口していることが好ましい。この場合、小便器本体の鉢面を洗浄する洗浄水により、小便器用放尿目標体の空洞部内も洗浄することができるため、空洞部内に尿が乾燥して付着することにより生じる汚れや臭いの発生を防止することができる。
【００１５】
本発明の小便器用放尿目標体は、隔壁を鉢面に取り付ける貼着部を備え、隔壁及び貼着部は樹脂シートにより形成され得る。この場合、小便器用放尿目標体を用便者が興味を引く形状に容易に形成することができる。また、小便器放尿目標体を小便器本体の鉢面に容易に取り付けることができる。さらに、鉢面に取り付けられた帖着部と鉢面との段差をわずかにすることができるため、小便器本体の鉢面を洗浄水で洗浄する際に、その洗浄水が帖着部の前面及び隔壁前面を洗浄する。このため、これら表面に尿が乾燥して付着することにより生じる汚れや臭いの発生を防止することができる。
【００１６】
帖着部は、軟質性を有する樹脂シートにより形成され得る。この場合、帖着部を鉢面の凹凸に合わせることができるため、帖着部と鉢面との間に隙間が生じることなく、小便器用放尿目標体を鉢面に強固に取り付けることができる。
【００１７】
樹脂シートは抗菌性を有するものであるとよい。この場合、小便器用放尿目標体のぬめり汚れを軽減でき、小便器用放尿目標体を清潔に保つことができる。
【発明を実施するための最良の形態】
【００１８】
以下、本発明を具体化した実施例１〜３を図面を参照しつつ説明する。
【実施例１】
【００１９】
図１に示すように、実施例１の小便器用放尿目標体２０は、小便器本体１０の鉢面１１に取り付けられ、隔壁２１に設けられた第１開口２２を用便者１が放尿の目標にするものである。小便器本体１０には、鉢面１１へ洗浄水を供給する洗浄水供給装置１２と、目皿１４により形成され、洗浄水が滞留する水封部１３とが設けられている。洗浄水供給装置１２は、図示しないが、水道管に接続されており、起動ボタン１２Ｂが押されると、開閉弁が開弁され、洗浄水が小便器本体１０の鉢面１１を流下して鉢面１１が洗浄される。
【００２０】
図２及び図３に示すように、この小便器用放尿目標体２０は、外郭形状が四角形の帖着部２４を備えている。また、この小便器用放尿目標体２０は、小便器本体１０の鉢面１１に取り付けられた際に上下方向に延び、鉢面１１より前方に突出して内部に空洞部２１Ｓを形成する隔壁２１を備えている。この隔壁２１は半透明であるため、用便者１は空洞部２１Ｓ内の尿の表面Ｈを隔壁２１を透して確認することができる。
【００２１】
隔壁２１の下端近傍の前面部２１Ｄは、下方に向かうにしたがって鉢面１１側に接近するように傾斜している。隔壁２１の最下端には、放尿の目標にされ、横方向に長いスリット形状の第１開口２２が設けられている。このため、放尿された尿が、直接、第１開口２２から空洞部２１Ｓ内に侵入しやすく、第１開口２２の下方の鉢面１１に衝突し、上方向に飛散した尿も第１開口２２から侵入しやすい等、より多くの尿が第１開口２２から空洞部２１Ｓ内に侵入しやすくなっているため、空洞部２１Ｓ内の尿の表面Ｈの上下動が大きくなり、用便者１がその変化を確認しやすくなる。また、尿の跳ね返りを抑制することができる。さらに、空洞部２１Ｓ内に尿や洗浄水が滞留しないため、空洞部２１Ｓ内を清潔に保つことができる。
【００２２】
貼着部２４の前面には、用便者１が空洞部２１Ｓ内の尿の表面Ｈの上下動を確認しやすいように、隔壁２１に沿って目盛り２４Ｍが印刷されるとともに、「まだまだ」、「グッジョブ」、「すごい」の文字が印刷されている。
【００２３】
隔壁２１の最上端には、上向きの第２開口２３が設けられている。これにより、空洞部２１Ｓの内外を空気が流通するため、第１開口２２から尿の侵入及び排出がスムーズに行なわれる。また、小便器本体１０の鉢面１１を洗浄する洗浄水が、第２開口２３から空洞部２１Ｓ内に流下して空洞部２１Ｓ内を洗浄することができる。このため、空洞部２１Ｓ内に尿が乾燥して付着することにより生じる汚れやにおいの発生を防止することができる。
【００２４】
この小便器用放尿目標体２０は、半透明の１枚の樹脂シートを立体加工して形成されている。この樹脂シートは、軟質性を有し、かつ抗菌性を有している。このため、小便器用放尿目標体２０は、容易に形成され、貼着部２４は鉢面１１に隙間なく強固に取り付けられる。さらに、小便器用放尿目標体２０は、ぬめり汚れが軽減され、清潔に保たれる。
【００２５】
この小便器用放尿目標体２０は、鉢面１１のうち尿が小便器本体１０の外部に飛散し難い位置に第１開口２２が配置されるように、貼着部２４の裏面に施された粘着材（図示しない）により小便器本体１０の鉢面１１に取り付けられている。
【００２６】
用便者１が第１開口２２を目標にして放尿すると、その尿の勢いや毛管現象の作用等により第１開口２２から空洞部２１Ｓ内に尿が侵入し、空洞部２１Ｓ内に尿が一時的に貯留される。用便者１が第１開口２２に向けて放尿する時間の長短や、尿の勢いの強弱により、空洞部２１Ｓ内に貯留される尿の量が変化するとともに、その過程において空洞部内の尿の表面Ｈが上下動する。空洞部２１Ｓ内の尿の表面Ｈが上下動する様子は、第１開口２２よりも上方の隔壁２１を透して用便者１は確認することができる。つまり、放尿の目標とされる第１開口２２と、放尿により変化し、用便者の興味を引く部分とが離れて設けられている。このため、用便者１は、第１開口２２に向けて逸らすことなく放尿をしながらでも、空洞部２１Ｓ内の尿の表面Ｈの上下動を確認することができる。また、用便者１は、空洞部２１Ｓ内の尿の表面Ｈがより高く上昇するように第１開口２２を狙って放尿するようになる。さらに、用便者１が放尿をするごとに、空洞部２１Ｓ内の尿の表面Ｈが上下動する様子は異なるため、用便者１は、毎回、この小便器用放尿目標体２０の第１開口２２を狙って放尿するようになる。
【００２７】
したがって、実施例１の小便器用放尿目標体２０は、長期にわたって用便者１の興味を引き、尿により小便器本体１０の周りの床面や用便者１の着衣が汚れることを少なくすることができる。
【実施例２】
【００２８】
図４に示すように、実施例２の小便器用放尿目標体３０は、小便器本体１０の鉢面１１に取り付けられた際に上方から左右に分かれて延び、鉢面１１より前方に突出して内部に空洞部３１Ｓを形成する隔壁３１を備えている。この隔壁３１は半透明である。
【００２９】
左右に別れて延びる隔壁３１の夫々の下端には、放尿の目標にされ、横方向に長いスリット形状の第１開口２２が設けられている。また、隔壁３１の左右中央に位置する最上端には、第２開口２３が設けられている。空洞部３１Ｓ内には、尿に浮く球体３２が内蔵されている。他の構成は実施例１と同様であり、実施例１と同様の構成については同一の符号を付して詳細な説明を省略する。
【００３０】
実施例２の小便器用放尿目標体３０は、空洞部３１Ｓ内に内蔵された球体３２により、空洞部３１Ｓ内の尿の表面が上下動する様子を用便者１が確認しやすい。また、用便者１は、一方の空洞部３１Ｓ内にある球体３２を他方の空洞部３１Ｓ内へ移動させようとして、一方の第１開口２２を狙って放尿する。このように、用便者１は、球体３２を移動させるという楽しみを感じながら放尿することができる。
【００３１】
したがって、実施例２の小便器用放尿目標体３０も、長期にわたって用便者１の興味を引き、尿により小便器本体１０の周りの床や用便者１の着衣が汚れることを少なくすることができる。
【実施例３】
【００３２】
図５に示すように、実施例３の小便器用放尿目標体４０は、外郭形状が四角形の貼着部４４の前面に接着固定された隔壁４１を備えている。隔壁４１の下部は、この小便器用放尿目標体４０が小便器本体１０の鉢面１１に取り付けられた際に上下方向に延び、鉢面１１より前方に突出して内部に空洞部４１Ｓを形成する。また、隔壁４１の上部は、上方向に向けて徐々に拡がり、上端が上向きに開口する第２開口４３を形成する。この隔壁４１は半透明である。他の構成は実施例１及び２と同様であり、実施例１及び２と同様の構成については同一の符号を付して詳細な説明を省略する。
【００３３】
実施例３の小便器用放尿目標体４０は、第２開口４３が大きく上向きに開口しているため、小便器本体１０の鉢面１１を洗浄する洗浄水が、空洞部４１Ｓ内に流入しやすい。このため、空洞部４１Ｓ内を大量の洗浄水で洗浄することができ、空洞部４１Ｓ内に尿が乾燥して付着することにより生じる汚れや臭いの発生を防止することができる。
【００３４】
また、実施例３の小便器用放尿目標体４０も、実施例１の小便器用放尿目標体２０と同様に、空洞部４１Ｓ内の尿の表面Ｈの上下動を隔壁４１を透して確認することができる。
【００３５】
したがって、実施例３の小便器用放尿目標体４０も、長期にわたって用便者１の興味を引き、尿により小便器本体１０の周りの床面や用便者１の着衣が汚れることを少なくすることができる。
【００３６】
以上において、本発明を実施例１〜３に即して説明したが、本発明は上記実施例に制限されるものではなく、その趣旨を逸脱しない範囲で適宜変更して適用できることはいうまでもない。
【００３７】
例えば、第１開口２２を放尿の目標にされやすくするために、第１開口２２の周囲に標的等の絵を印刷してもよい。また、貼着部２４、４４の前面に文字や図を印刷し、広告機能をもたらすことが可能である。
【００３８】
また、貼着部２４、４４は両面テープにより小便器本体１０の鉢面１１に取り付けられてもよい。
【産業上の利用可能性】
【００３９】
本発明は小便器に利用可能である。
【図面の簡単な説明】
【００４０】
【図１】実施例１の小便器用放尿目標体が取り付けられた小便器の一部切欠き側面図である。
【図２】実施例１の小便器用放尿目標体の正面図である。
【図３】実施例１の小便器用放尿目標体が小便器本体に取り付けられた状態を示す断面図である。
【図４】実施例２の小便器用放尿目標体の一部切欠き正面図である。
【図５】実施例３の小便器用放尿目標体の正面図である。
【符号の説明】
【００４１】
１…用便者
１０…小便器本体
１１…鉢面
２０、３０、４０…小便器用放尿目標体
２１Ｓ、３１Ｓ、４１Ｓ…空洞部
２１、３１、４１…隔壁
２２…第１開口
２３、４３…第２開口
【図１】
2009074300.tif 000003
【図２】
2009074300.tif 000004
【図３】
2009074300.tif 000005
【図４】
2009074300.tif 000006
【図５】
2009074300.tif 000007